(57)【要約】  本出願は、センシング方法および機器を開示し、前記方法は、送信ノードが、前記送信ノードによる受信ノードへのデータ送信に使用されるビーム方向に従って、センシングされる少なくとも１つのセンシング方向を決定することと、前記送信ノードが、前記少なくとも１つのセンシング方向でキャリアセンスを実行することと、前記送信ノードが、前記少なくとも１つのセンシング方向でのセンシング結果に基づいて、前記ビーム方向を使用して、データを前記受信ノードに送信することとを含む。
2021517386.tif 000002
【特許請求の範囲】
【請求項１】
センシング方法であって、
送信ノードが、前記送信ノードによる受信ノードへのデータ送信に使用されるビーム方向に従って、センシングされる少なくとも１つのセンシング方向を決定することと、
前記送信ノードが、前記少なくとも１つのセンシング方向でキャリアセンスを実行することと、
前記送信ノードが、前記少なくとも１つのセンシング方向でのセンシング結果に基づいて、前記ビーム方向を使用して、データを前記受信ノードに送信することとを含む、前記センシング方法。
【請求項２】
前記少なくとも１つのセンシング方向は、第１センシング方向および／または第２センシング方向を含み、前記第１センシング方向は、前記送信ノードが前記受信ノードにデータを送信する方向である、
請求項１に記載のセンシング方法。
【請求項３】
前記第２センシング方向は、前記第１センシング方向の逆方向である、
請求項２に記載のセンシング方法。
【請求項４】
前記送信ノードが、前記少なくとも１つのセンシング方向でキャリアセンスを実行することは、
前記送信ノードが、前記少なくとも１つのセンシング方向でのチャネルがアイドルであることをセンシングするまで、前記少なくとも１つのセンシング方向でキャリアセンスを実行することを含む、
請求項２または３に記載のセンシング方法。
【請求項５】
前記少なくとも１つのセンシング方向は、前記第１センシング方向および前記第２センシング方向を含み、
前記送信ノードが、前記少なくとも１つのセンシング方向でのチャネルがアイドルであることをセンシングするまで、前記少なくとも１つのセンシング方向でキャリアセンスを実行することは、
前記送信ノードが、前記第１センシング方向でキャリアセンスを実行し、前記第１センシング方向でのチャネルがアイドルであることをセンシングした後、前記第２センシング方向でのチャネルがアイドルであることをセンシングするまで、前記第２センシング方向でキャリアセンスを実行すること、または、
前記送信ノードが、前記第２センシング方向でキャリアセンスを実行し、前記第２センシング方向でのチャネルがアイドルであることをセンシングした後、前記第１センシング方向でのチャネルがアイドルであることをセンシングするまで、前記第１センシング方向でキャリアセンスを実行することを含む、
請求項４に記載のセンシング方法。
【請求項６】
前記送信ノードが、前記少なくとも１つのセンシング方向でキャリアセンスを実行することは、
前記送信ノードが、少なくとも１つのセンシングウィンドウで、前記少なくとも１つのセンシング方向でそれぞれキャリアセンスを実行することを含み、
前記送信ノードによる前記第１センシング方向でのキャリアセンスの実行に使用されるセンシングウィンドウは、第１センシングウィンドウであり、前記送信ノードによる前記第２センシング方向でのキャリアセンスの実行に使用されるセンシングウィンドウは、第２センシングウィンドウであり、
前記第１センシングウィンドウが前記第２センシングウィンドウの前に配置され、まはた前記第１センシングウィンドウが前記第２センシングウィンドウの後に配置され、まはた前記第１センシングウィンドウが前記第２センシングウィンドウと重複する、
請求項２または３に記載のセンシング方法。
【請求項７】
前記送信ノードが、前記少なくとも１つのセンシング方向でキャリアセンスを実行する前に、前記方法は、
前記送信ノードが、前記受信ノードによって送信された構成情報を受信することであって、前記構成情報は、キャリアセンスの実行に使用されるセンシング情報を指示すること、または、
前記送信ノードが、前記送信ノードに事前に記憶された前記センシング情報を取得することをさらに含み、
前記センシング情報は、前記少なくとも１つのセンシング方向、異なるセンシング方向のセンシング順番、および異なるセンシング方向に対応するセンシングウィンドウの情報のうちの少なくとも１つを含む、
請求項１ないし６のいずれか一項に記載のセンシング方法。
【請求項８】
前記センシングウィンドウの情報は、前記センシングウィンドウの時間領域の長さおよび／または時間起点位置を含む、
請求項７に記載のセンシング方法。
【請求項９】
前記送信ノードが、前記受信ノードによって送信された構成情報を受信する前に、前記方法は、
前記送信ノードが、前記送信ノードのセンシング能力情報を前記受信ノードに送信することであって、前記センシング能力は、前記送信ノードがサポートできるセンシング方向および／またはセンシング順番の能力を示すことをさらに含む、
請求項７または８に記載のセンシング方法。
【請求項１０】
前記送信ノードが、前記少なくとも１つのセンシング方向でキャリアセンスを実行することは、
前記送信ノードが、前記少なくとも１つのセンシング方向を含む複数のセンシング方向で同時にキャリアセンスを実行することを含む、
請求項１ないし９のいずれか一項に記載のセンシング方法。
【請求項１１】
センシング方法であって、
受信ノードが、構成情報を送信ノードに送信することを含み、前記構成情報は、前記送信ノードによるキャリアセンスの実行に使用されるセンシング情報を指示し、
前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、
前記少なくとも１つのセンシング方向は、前記送信ノードによる受信ノードへのデータ送信に使用されるビームに従って、前記送信ノードによって決定される、前記センシング方法。
【請求項１２】
前記少なくとも１つのセンシング方向は、第１センシング方向および／または第２センシング方向を含み、前記第１センシング方向は、前記送信ノードが前記受信ノードにデータを送信する方向である、
請求項１１に記載のセンシング方法。
【請求項１３】
前記第２センシング方向は、前記第１センシング方向の逆方向である、
請求項１２に記載のセンシング方法。
【請求項１４】
前記受信ノードが、構成情報を送信ノードに送信する前に、前記方法は、
前記受信ノードが、前記送信ノードによって送信された前記送信ノードのセンシング能力情報を受信することをさらに含み、前記センシング能力は、前記送信ノードがサポートできるセンシング方向および／またはセンシング順番の能力を示す、
請求項１１ないし１３のいずれか一項に記載のセンシング方法。
【請求項１５】
送信ノード機器であって、
前記送信ノード機器による受信ノード機器へのデータ送信に使用されるビーム方向に従って、センシングされる少なくとも１つのセンシング方向を決定するように構成される決定ユニットと、
前記決定ユニットによって決定された前記少なくとも１つのセンシング方向で、キャリアセンスを実行するように構成されるセンシングユニットと、
前記少なくとも１つのセンシング方向でのセンシング結果に基づいて、前記ビーム方向を使用して、データを前記受信ノード機器に送信するように構成されるトランシーバユニットとを備える、前記送信ノード機器。
【請求項１６】
前記少なくとも１つのセンシング方向は、第１センシング方向および／または第２センシング方向を含み、前記第１センシング方向は、前記送信ノード機器が前記受信ノード機器にデータを送信する方向である、
請求項１５に記載の送信ノード機器。
【請求項１７】
前記第２センシング方向は、前記第１センシング方向の逆方向である、
請求項１６に記載の送信ノード機器。
【請求項１８】
前記センシングユニットは、具体的に、
前記少なくとも１つのセンシング方向でのチャネルがアイドルであることをセンシングするまで、前記少なくとも１つのセンシング方向でキャリアセンスを実行するように構成される、
請求項１６または１７に記載の送信ノード機器。
【請求項１９】
前記少なくとも１つのセンシング方向は、前記第１センシング方向および前記第２センシング方向を含み、
前記センシングユニットは、具体的に、
前記第１センシング方向でキャリアセンスを実行し、前記第１センシング方向でのチャネルがアイドルであることをセンシングした後、前記第２センシング方向でのチャネルがアイドルであることをセンシングするまで、前記第２センシング方向でキャリアセンスを実行し、または、
前記第２センシング方向でキャリアセンスを実行し、前記第２センシング方向でのチャネルがアイドルであることをセンシングした後、前記第１センシング方向でのチャネルがアイドルであることをセンシングするまで、前記第１センシング方向でキャリアセンスを実行するように構成される、
請求項１８に記載の送信ノード機器。
【請求項２０】
前記センシングユニットは、具体的に、
少なくとも１つのセンシングウィンドウで、前記少なくとも１つのセンシング方向でそれぞれキャリアセンスを実行するように構成され、
前記送信ノード機器による前記第１センシング方向でのキャリアセンスの実行に使用されるセンシングウィンドウは、第１センシングウィンドウであり、前記送信ノード機器による前記第２センシング方向でのキャリアセンスの実行に使用されるセンシングウィンドウは、第２センシングウィンドウであり、
前記第１センシングウィンドウが前記第２センシングウィンドウの前に配置され、まはた前記第１センシングウィンドウが前記第２センシングウィンドウの後に配置され、まはた前記第１センシングウィンドウが前記第２センシングウィンドウと重複する、
請求項１８または１９に記載の送信ノード機器。
【請求項２１】
前記センシングユニットは、具体的に、
前記トランシーバユニットを介して、前記受信ノード機器によって送信された構成情報を受信し、前記構成情報は、キャリアセンスの実行に使用されるセンシング情報を指示し、または、
前記送信ノード機器に事前に記憶された前記センシング情報を取得するように構成され、
前記センシング情報は、前記少なくとも１つのセンシング方向、異なるセンシング方向のセンシング順番、および異なるセンシング方向に対応するセンシングウィンドウの情報のうちの少なくとも１つを含む、
請求項１５ないし２０のいずれか一項に記載の送信ノード機器。
【請求項２２】
前記センシングウィンドウの情報は、前記センシングウィンドウの時間領域の長さおよび／または時間起点位置を含む、
請求項２１に記載の送信ノード機器。
【請求項２３】
前記トランシーバユニットは、さらに、
前記送信ノード機器のセンシング能力情報を前記受信ノード機器に送信するように構成され、前記センシング能力は、前記送信ノードがサポートできるセンシング方向および／またはセンシング順番の能力を示す、
請求項２１または２２に記載の送信ノード機器。
【請求項２４】
前記センシングユニットは、具体的に、
前記少なくとも１つのセンシング方向を含む複数のセンシング方向で同時にキャリアセンスを実行するように構成される、
請求項１５ないし２３のいずれか一項に記載の送信ノード機器。
【請求項２５】
受信ノード機器であって、
構成情報を送信ノード機器に送信するように構成されるトランシーバユニットを備え、前記構成情報は、前記送信ノードによるキャリアセンスの実行に使用されるセンシング情報を指示し、
前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、
前記少なくとも１つのセンシング方向は、前記送信ノード機器による受信ノード機器へのデータ送信に使用されるビーム方向に従って、前記送信ノード機器によって決定される、前記受信ノード機器。
【請求項２６】
前記少なくとも１つのセンシング方向は、第１センシング方向および／または第２センシング方向を含み、前記第１センシング方向は、前記送信ノードが前記受信ノードにデータを送信する方向である、
請求項２５に記載の受信ノード機器。
【請求項２７】
前記第２センシング方向は、前記第１センシング方向の逆方向である、
請求項２６に記載の受信ノード機器。
【請求項２８】
前記トランシーバユニットは、さらに、
前記送信ノード機器によって送信された前記送信ノード機器のセンシング能力情報を受信するように構成され、前記センシング能力は、前記送信ノード機器がサポートできるセンシング方向および／またはセンシング順番の能力を示す、
請求項２５ないし２７のいずれか一項に記載の受信ノード機器。
【発明の詳細な説明】
【技術分野】
【０００１】
本願実施例は通信分野に関し、より具体的に、センシング方法および機器に関する。
【背景技術】
【０００２】
５Ｇシステムでは、無認可周波数帯域におけるデータ伝送をサポートする。無認可周波数帯域を使用してデータ伝送を実行することは、リッスンビフォアトーク（ＬＢＴ：Ｌｉｓｔｅｎ  Ｂｅｆｏｒｅ  Ｔａｌｋ）メカニズムに基づいている。つまり、送信ノードは、データを送信する前に、最初にチャネルがアイドル状態であるかどうかをセンシングする必要があり、チャネルがアイドル状態であると判断した場合にのみ、データを送信できる。したがって、無認可周波数帯域での送信ノードと受信ノード間の信号伝送性能を向上させるために、送信ノードによるキャリアセンスを効果的に実行する方法は、解決すべき喫緊の課題である。
【発明の概要】
【発明が解決しようとする課題】
【０００３】
本願実施例は、送信ノードがキャリアセンスを効果的に実行することができ、これにより無認可周波数帯域での送信ノードと受信ノード間の信号伝送性能を改善することができるセンシング方法および機器を提供する。
【課題を解決するための手段】
【０００４】
第１態様によれば、センシング方法を提供し、前記方法は、送信ノードが、前記送信ノードによる受信ノードへのデータ送信に使用されるビーム方向に従って、センシングされる少なくとも１つのセンシング方向を決定することと、前記送信ノードが、前記少なくとも１つのセンシング方向でキャリアセンスを実行することと、前記送信ノードが、前記少なくとも１つのセンシング方向でのセンシング結果に基づいて、前記ビーム方向を使用して、データを前記受信ノードに送信することとを含む。
【０００５】
したがって、送信ノードは、受信ノードにデータを送信する送信ビームの方向に基づいて、センシングされる少なくとも１つのセンシング方向を決定し、少なくとも１つのセンシング方向で指向性センシングを実行し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【０００６】
一可能な実施形態において、前記少なくとも１つのセンシング方向は、第１センシング方向および／または第２センシング方向を含み、前記第１センシング方向は、前記送信ノードが前記受信ノードにデータを送信する方向である。
【０００７】
一可能な実施形態において、前記第２センシング方向は、前記第１センシング方向の逆方向である。
【０００８】
一可能な実施形態において、前記送信ノードが、前記少なくとも１つのセンシング方向でキャリアセンスを実行することは、前記送信ノードが、前記少なくとも１つのセンシング方向でのチャネルがアイドルであることをセンシングするまで、前記少なくとも１つのセンシング方向でキャリアセンスを実行することを含む。
【０００９】
一可能な実施形態において、前記少なくとも１つのセンシング方向は、前記第１センシング方向および前記第２センシング方向を含み、前記送信ノードが、前記少なくとも１つのセンシング方向でのチャネルがアイドルであることをセンシングするまで、前記少なくとも１つのセンシング方向でキャリアセンスを実行することは、前記送信ノードが、前記第１センシング方向でキャリアセンスを実行し、前記第１センシング方向でのチャネルがアイドルであることをセンシングした後、前記第２センシング方向でのチャネルがアイドルであることをセンシングするまで、前記第２センシング方向でキャリアセンスを実行すること、または、前記送信ノードが、前記第２センシング方向でキャリアセンスを実行し、前記第２センシング方向でのチャネルがアイドルであることをセンシングした後、前記第１センシング方向でのチャネルがアイドルであることをセンシングするまで、前記第１センシング方向でキャリアセンスを実行することを含む。
【００１０】
一可能な実施形態において、前記送信ノードが、前記少なくとも１つのセンシング方向でキャリアセンスを実行することは、前記送信ノードが、少なくとも１つのセンシングウィンドウで、前記少なくとも１つのセンシング方向でそれぞれキャリアセンスを実行することを含み、
ここで、前記送信ノードによる前記第１センシング方向でのキャリアセンスの実行に使用されるセンシングウィンドウは、第１センシングウィンドウであり、前記送信ノードによる前記第２センシング方向でのキャリアセンスの実行に使用されるセンシングウィンドウは、第２センシングウィンドウであり、前記第１センシングウィンドウが前記第２センシングウィンドウの前に配置され、まはた前記第１センシングウィンドウが前記第２センシングウィンドウの後に配置され、まはた前記第１センシングウィンドウが前記第２センシングウィンドウと重複する。
【００１１】
一可能な実施形態において、前記送信ノードが、前記少なくとも１つのセンシング方向でキャリアセンスを実行する前に、前記方法は、前記送信ノードが、前記受信ノードによって送信された構成情報を受信することであって、前記構成情報は、キャリアセンスの実行に使用されるセンシング情報を指示すること、または、前記送信ノードが、前記送信ノードに事前に記憶された前記センシング情報を取得することをさらに含み、
ここで、前記センシング情報は、前記少なくとも１つのセンシング方向、異なるセンシング方向のセンシング順番、および異なるセンシング方向に対応するセンシングウィンドウの情報のうちの少なくとも１つの情報を含む。
【００１２】
一可能な実施形態において、前記センシングウィンドウの情報は、前記センシングウィンドウの時間領域の長さおよび／または時間起点位置を含む。
【００１３】
一可能な実施形態において、前記送信ノードが、前記受信ノードによって送信された構成情報を受信する前に、前記方法は、前記送信ノードが、前記送信ノードのセンシング能力情報を前記受信ノードに送信することであって、前記センシング能力は、前記送信ノードがサポートできるセンシング方向および／またはセンシング順番の能力を示すことをさらに含む。
【００１４】
一可能な実施形態において、前記送信ノードが、前記少なくとも１つのセンシング方向でキャリアセンスを実行することは、前記送信ノードが、前記少なくとも１つのセンシング方向を含む複数のセンシング方向で同時にキャリアセンスを実行することを含む。
【００１５】
第２態様によれば、センシング方法を提供し、前記方法は、受信ノードが、構成情報を送信ノードに送信することであって、前記構成情報は、前記送信ノードによるキャリアセンスの実行に使用されるセンシング情報を指示し、前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、ここで、前記少なくとも１つのセンシング方向は、前記送信ノードによる受信ノードへのデータ送信に使用されるビームに従って、前記送信ノードによって決定されることを含む。
【００１６】
したがって、受信ノードは、送信ノードが少なくとも１つのセンシング方向でビームに対して指向性センシングを実行できるように、送信ノードに異なるセンシング方向を配置し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００１７】
一可能な実施形態において、前記少なくとも１つのセンシング方向は、第１センシング方向および／または第２センシング方向を含み、前記第１センシング方向は、前記送信ノードが前記受信ノードにデータを送信する方向である。
【００１８】
一可能な実施形態において、前記第２センシング方向は、前記第１センシング方向の逆方向である。
【００１９】
一可能な実施形態において、前記受信ノードが、構成情報を送信ノードに送信する前に、前記方法は、前記受信ノードが、前記送信ノードによって送信された前記送信ノードのセンシング能力情報を受信することであって、前記センシング能力は、前記送信ノードがサポートできるセンシング方向および／またはセンシング順番の能力を示すことをさらに含む。
【００２０】
第３態様によれば、送信ノード機器を提供し、当該送信ノード機器は、上述の第１態様または第１態様の任意の選択可能な実現形態における送信ノードの操作を実行できる。具体的に、当該受信ノード機器は、第１態様または第１態様の任意の可能な実現形態における送信ノードの操作を実行するように構成されたモジュールユニットを含み得る。
【００２１】
第４態様によれば、受信ノード機器を提供し、当該受信ノード機器は、上述の第１態様または第１態様の任意の選択可能な実現形態における受信ノードの操作を実行できる。具体的に、当該送信ノード機器は、第２態様または第２態様の任意の可能な実現形態における受信ノードの操作を実行するように構成されたモジュールユニットを含み得る。
【００２２】
第５態様によれば、送信ノード機器を提供し、当該送信ノード機器は、プロセッサと、トランシーバと、メモリとを備える。ここで、当該プロセッサ、トランシーバよびびメモリの間は、内部接続パスを介してお互いに通信する。当該メモリは、命令を記憶するように構成され、当該プロセッサは、当該メモリに記憶された命令を実行するように構成される。当該メモリに記憶された命令が当該プロセッサによって実行される場合、当該実行により、当該送信ノード機器が第１態様または第１態様の任意の可能な実現形態における方法を実行し、または当該実行により、当該送信ノード機器が第３態様で提供される送信ノード機器を実現する。
【００２３】
第６態様によれば、受信ノード機器を提供し、当該受信ノード機器は、プロセッサと、トランシーバと、メモリとを備える。ここで、当該プロセッサ、トランシーバよびびメモリの間は、内部接続パスを介してお互いに通信する。当該メモリは、命令を記憶するように構成され、当該プロセッサは、当該メモリに記憶された命令を実行するように構成される。当該メモリに記憶された命令が当該プロセッサによって実行される場合、当該実行により、当該受信ノード機器が第２態様または第２態様の任意の可能な実現形態における方法を実行し、または当該実行により、当該受信ノード機器が第４態様で提供される受信ノード機器を実現する。
【００２４】
第７態様によれば、システムチップを提供し、当該システムチップは、入力インタフェースと、出力インタフェースと、プロセッサと、メモリとを備え、当該プロセッサは、当該メモリに記憶された命令を実行するように構成され、当該命令が実行されるとき、当該プロセッサは、前述の第１態様または第１態様の任意の可能な実現形態における方法を実現できる。
【００２５】
第８態様によれば、システムチップを提供し、当該システムチップは、入力インタフェースと、出力インタフェースと、プロセッサと、メモリとを備え、当該プロセッサは、当該メモリに記憶された命令を実行するように構成され、当該命令が実行されるとき、当該プロセッサは、前述の第２態様または第２態様の任意の可能な実現形態における方法を実現できる。
【００２６】
第９態様によれば、命令を含むコンピュータプログラム製品を提供し、前記コンピュータプログラム製品がコンピュータで実行される場合、当該コンピュータが、上述の第１態様第１態様の任意の可能な実現形態における方法を実行するようにする。
【００２７】
第１０態様によれば、命令を含むコンピュータプログラム製品を提供し、前記コンピュータプログラム製品がコンピュータで実行される場合、当該コンピュータが、上述の第２態様第２態様の任意の可能な実現形態における方法を実行するようにする。
【図面の簡単な説明】
【００２８】
【図１】本願実施例に適用される無線通信システムの概略図である。
【図２】本願実施例に係るセンシング方法の例示的なフローチャートである。
【図３】本願実施例に係るセンシング方向の概略図である。
【図４】本願実施例に係るセンシング方法の例示的なフローチャートである。
【図５】本願実施例に係る送信ノード機器の例示的なブロック図である。
【図６】本願実施例に係る受信ノード機器の例示的なブロック図である。
【図７】本願実施例に係る通信機器の例示的な構造図である。
【図８】本願実施例に係るシステムチップの例示的な構造図である。
【発明を実施するための形態】
【００２９】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは未来の５Ｇシステムなど、様々な通信システムに適用することができる。
【００３０】
図１は、本願実施例に適用される無線通信システム１００を示す。当該無線通信システム１００は、ネットワーク機器１１０を含み得る。ネットワーク機器１１０は、端末機器と通信する機器であってもよい。ネットワーク機器１１０は、特定の地理的エリアに通信カバレッジを提供することができ、前記カバレッジエリア内に位置する端末機器（例えばＵＥなど）と通信することができる。代替的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００３１】
前記無線通信システム１００は、ネットワーク機器１１０のカバレッジエリア内に位置する、少なくとも１つの端末機器１２１および端末機器１２２などの端末機器をさらに含む。端末機器１２１および端末機器１２２は、モバイルまたは固定であってもよい。選択的に、端末機器１２１および端末機器１２２は、アクセス端末、ユーザー機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび未来の５Ｇネットワークの端末機器または将来進化するＰＬＭＮの端末機器などであり得る。代替的に、端末装置１２１と端末装置１２２との間で、装置対装置（Ｄ２Ｄ：Ｄｅｖｉｃｅ  ｔｏ  Ｄｅｖｉｃｅ）通信を実行することもできる。
【００３２】
図１は、１つのネットワーク機器および２つの端末機器を例示的に示し、選択的に、前記無線通信システム１００は、複数のネットワーク機器を含むことができ、各ネットワーク機器のカバレッジ内には、他の数の端末機器を含むことができるが、本出願の実施例はこれに限定されない。
【００３３】
代替的に、前記無線通信システム１００は、ネットワークコントローラ、モバイル管理エンティティなどの他のネットワークエンティティをさらに含むことができるが、本出願の実施例はこれに限定されない。
【００３４】
５Ｇシステムでは、データ伝送に使用される周波数帯域がＬＴＥで使用される周波数帯域よりも高いため、無線信号伝送のパス損失が大きくなり、無線信号のカバレッジが小さくなる。このため、５Ｇシステムでは、無線信号のゲインを増加するためのビーム成形（ｂｅａｍｆｏｒｍｉｎｇ）技術が提案され、これにより、パス損失を補う。具体的には、基地局が信号を端末機器に送信するために使用するビームは、指向性を有し、異なるビームは、実際には異なる放射方向に対応し、各狭いビームは、セルの領域の一部のみをカバでき、セルのすべての領域をカバすることはできない。図１に示されるように、図１は、ビームＢ１、ビームＢ２、ビームＢ３およびビームＢ４の異なる方向の４つのビームを示し、基地局は、４つの異なる方向のビームを介して端末機器に信号を送信できる。ビームＢ１およびビームＢ２については、端末機器１２１のみをカバでき、端末機器１２２をカバできず、ビームＢ３およびビームＢ４は、端末機器１２２のみをカバーでき、端末機器１２１をカバできない。基地局は、ビームＢ１およびビームＢ２を介して端末機器１２１に信号を送信し、ビームＢ３およびビームＢ４を介して端末機器１２２に信号を送信することができる。
【００３５】
以下では、本願実施例に係る無認可周波数帯域（ｕｎｌｉｃｅｎｓｅｄ  ｆｒｅｑｕｅｎｃｙ  ｂａｎｄｓ）でのリッスンビフォアトーク（ＬＢＴ：Ｌｉｓｔｅｎ  Ｂｅｆｏｒｅ  Ｔａｌｋ）メカニズム、および無認可周波数帯域で動作するＷｉ−Ｆｉ（登録商標）（Ｗｉｒｅｌｅｓｓ  Ｆｉｄｅｌｉｔｙ）システムにおける送信要求（ＲＴＳ：Ｒｅｑｕｅｓｔ−Ｔｏ−Ｓｅｎｄ）／送信可（ＣＴＳ：Ｃｌｅａｒ−Ｔｏ−Ｓｅｎｄ）メカニズムに対して簡単に説明する。
【００３６】
５Ｇシステムは、無認可周波数帯域におけるデータ伝送をサポートする。無認可周波数帯域を使用してデータ伝送を実行することは、リッスンビフォアトーク（ＬＢＴ：Ｌｉｓｔｅｎ  Ｂｅｆｏｒｅ  Ｔａｌｋ）メカニズムに基づいている。つまり、送信ノードは、データを送信する前に、チャネルがアイドル状態であるかどうかをセンシングする必要があり、チャネルがアイドル状態であると判断した場合にのみ、データを送信できる。
【００３７】
チャネル状態情報参照信号（ＣＳＩ−ＲＳ：Ｃｈａｎｎｅｌ  Ｓｔａｔｅ  Ｉｎｄｉｃａｔｉｏｎ  Ｒｅｆｅｒｅｎｃｅ  Ｓｉｇｎａｌｓ）、サウンディング参照信号（ＳＲＳ：Ｓｏｕｎｄｉｎｇ  Ｒｅｆｅｒｅｎｃｅ  Ｓｉｇｎａｌ）および同期信号ブロック（ＳＳＢ：Ｓｙｎｃｈｒｏｎｉｚａｔｉｏｎ  Ｓｉｇｎａｌ  Ｂｌｏｃｋ）などの参照信号の送信および測定プロセスを介して、端末機器とネットワーク機器の間で、測定結果が最良であるリンクを取得してデータ伝送を実行することができる。例えば、ネットワーク機器と端末機器の両方が、マルチビーム方向の送受信機能を有し、アップリンク方向では、端末機器は、ビームＢ１を使用してネットワーク機器にアップリンクデータを送信し、ネットワーク機器がビームＢ３を使用して当該データを受信すると、最適な伝送性能を取得することができる。つまり、このリンクの測定結果が最良である場合、ネットワーク機器のビームＢ３と端末機器のビームＢ１が最適なビームペア（ｂｅａｍ  ｐａｉｒ）を形成する。
【００３８】
送信ノードがデータを送信する前に、キャリアセンス（ビームセンシング、チャネルセンシング、センシングなどとも呼ばれる）をより効果的に実行して、各方向での干渉を低減できることを確保するために、本願実施例では、送信ノードが、少なくとも１つのセンシング方向で、ビームに対して指向性センシングを実行、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００３９】
図２は、本願実施例に係るセンシング方法の例示的なフローチャートである。図２に示す送信ノードは、例えば、図１に示すネットワーク機器１１０、端末機器１２１または端末機器１２２であってもよい。図２に示す方法は、無認可周波数帯域に適用されることができ、図２に示されるように、当該センシング方法は、以下の内容の一部またはすべてを含み得る。
【００４０】
ステップ２１０において、送信ノードが、当該送信ノードによる受信ノードへのデータ送信に使用されるビーム方向に従って、センシングされる少なくとも１つのセンシング方向を決定する。
【００４１】
代替的に、当該少なくとも１つのセンシング方向は、第１センシング方向および／または第２センシング方向を含む。
【００４２】
代替的に、当該第１センシング方向は、当該送信ノードが当該受信ノードにデータを送信する方向であり、例えば、当該第１センシング方向は、送信ノードによる当該受信ノードへのデータに使用されるビーム方向と一致する。
【００４３】
代替的に、当該第２センシング方向は、当該第１センシング方向の逆方向である、
図３に示されるように、当該送信ノードは端末機器１２１であり、当該端末機器１２１は、ビームＢ１を使用してデータをネットワーク機器１１０に送信し、当該少なくとも１つのセンシング方向は、第１センシング方向、および第１センシング方向と反対の第２センシング方向を含むことができ、当該第１センシング方向は、当該端末機器１２１のビームＢ１の方向であり、第２センシング方向は、当該端末機器のビームＢ２の方向である。
【００４４】
ステップ２２０において、当該送信ノードが、当該少なくとも１つのセンシング方向でキャリアセンスを実行する。
【００４５】
図３を参照すると、当該端末機器１２１の隣接に、端末装置１２２および端末装置１２３などの他のノードが存在する可能性があり、端末機器１２２は、第１センシング方向に隣接するノードであり、端末機器１２３は、第２センシング方向に隣接するノードであり、端末装置１２２および端末装置１２３が、データ送信のために無指向性アンテナを使用すると仮定する。端末機器１２１が、データをネットワーク機器１１０に送信する前に、第１センシング方向でキャリアセンスを実行することができるため、端末機器１２２がデータを送信中である場合、端末機器１２１は、当該第１センシング方向でのチャネルが占有されていることを検出することができる。端末機器１２１はまた、第２センシング方向でキャリアセンスを実行することができるため、端末機器１２３がデータを送信中である場合、端末機器１２１は、当該第２センシング方向でのチャネルが占有されていることを検出することができる。
【００４６】
このように、端末機器は、第１センシング方向でセンシングすることにより、第１センシング方向での隠れノードである端末機器１２２を排除して、端末機器１２１による端末機器１２２のデータ伝送への干渉を回避することができる。端末機器は、第２センシング方向でセンシングすることにより、第２センシング方向での隠れノードである端末機器１２３を排除して、端末機器１２１による端末機器１２３のデータ伝送への干渉を回避することができる。したがって、無認可周波数帯域における異なるノード間の信号伝送性能を向上させる。
【００４７】
ステップ２３０において、当該送信ノードが、当該少なくとも１つのセンシング方向でのセンシング結果に基づいて、当該ビーム方向を使用してデータを当該受信ノードに送信する。
【００４８】
したがって、送信ノードは、受信ノードにデータを送信する送信ビームの方向に基づいて、センシングされる少なくとも１つのセンシング方向を決定し、少なくとも１つのセンシング方向で指向性センシングを実行し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００４９】
ステップ２２０において、当該送信ノードは、２つの方式に基づいて、当該少なくとも１つのセンシング方向でキャリアセンスを実行することができ、これについては、以下で個別に説明する。下面分別描述。
【００５０】
方式１
代替的に、当該送信ノードが、当該少なくとも１つのセンシング方向でキャリアセンスを実行することは、当該送信ノードが、当該少なくとも１つのセンシング方向でのチャネルがアイドルであることをセンシングするまで当該少なくとも１つのセンシング方向でキャリアセンスを実行することを含む。
【００５１】
例えば、当該送信ノードは、当該第１センシング方向でキャリアセンスを実行し、当該当該第１センシング方向でのチャネルがアイドルであることをセンシングした場合、当該ビーム方向を使用してデータを当該受信ノードに送信する。
【００５２】
別の例では、当該送信ノードは、当該第２センシング方向でキャリアセンスを実行し、当該当該第２センシング方向でのチャネルがアイドルであることをセンシングした場合、当該ビーム方向を使用してデータを当該受信ノードに送信する。
【００５３】
別の例では、当該送信ノードは、当該第１个センシング方向と当該第２センシング方向の両方でキャリアセンスを実行し、当該第１センシング方向と当該第２センシング方向でのチャネルが両方ともアイドルであることをセンシングした場合、当該ビーム方向を使用してデータを当該受信ノードに送信する。
【００５４】
ここで、送信ノードは、当該第１センシング方向でキャリアセンスを実行し、当該第１センシング方向での当該第１センシング方向でのチャネルがアイドルであることをセンシングした後、当該第２センシング方向でキャリアセンスを実行し、当該第２センシング方向でのチャネルもアイドルであることをセンシングした場合、当該ビーム方向を使用してデータを当該受信ノードに送信することができ、または、
当該送信ノードは、先に当該第２センシング方向でキャリアセンスを実行し、当該第２センシング方向でのチャネルがアイドルであることをセンシングした後、当該第１センシング方向でキャリアセンスを実行し、当該第１センシング方向でのチャネルもアイドルであることをセンシングした場合、当該ビーム方向を使用してデータを当該受信ノードに送信する。
【００５５】
方式２
代替的に、当該送信ノードは、当該少なくとも１つのセンシング方向でキャリアセンスを実行することは、当該送信ノードは、少なくとも１つのセンシングウィンドウで、当該ターゲットビームの当該少なくとも１つのセンシング方向でされぞれキャリアセンスを実行することを含む。
【００５６】
ここで、代替的に、当該送信ノードによる当該第１センシング方向でのキャリアセンスの実行に使用されるセンシングウィンドウは、第１センシングウィンドウであり、当該送信ノードによる当該第２センシング方向でのキャリアセンスの実行に使用されるセンシングウィンドウは、第２センシングウィンドウである。
【００５７】
ここで、代替的に、当該第１センシングウィンドウが当該第２センシングウィンドウの前に配置され、または当該第１センシングウィンドウが当該第２センシングウィンドウの後に配置され、または当該第１センシングウィンドウが当該第２センシングウィンドウと重複する。
【００５８】
当該第１センシングウィンドウおよび当該第２センシングウィンドウは、例えば、１６ｕｓまたは２５ｕｓに等しくてもよい。
【００５９】
方式２において、送信ノードによる第１センシング方向および第２センシング方向でのキャリアセンスの実行は、異なるセンシングウィンドウで実行される。送信ノードは、第１センシング窗内で第１センシング方向でのキャリアセンスを実行し、第２センシングウィンドウで第２センシング方向でのキャリアセンスを実行する。第１センシング方向でのキャリアセンスを実行してから第２センシング方向でのキャリアセンスを実行する場合、第１センシングウィンドウは、第２センシングウィンドウよりも時間的に前に位置する。第２センシング方向でのキャリアセンスを実行してから第１センシング方向でのキャリアセンスを実行する場合、第２センシングウィンドウは、第１センシングウィンドウよりも時間的に前に位置する。第１センシング方向と第２センシング方向でのキャリアセンスを同時に実行する場合、第１センシングウィンドウと第２センシングウィンドウは、時間的に重複する。
【００６０】
ただし、方式１では、センシングウィンドウの設定を必要とせずに、当該少なくとも１つのセンシング方向でのチャネルがアイドルであることをセンシングすることにより、当該ビーム方向を使用してデータを当該受信ノードに送信する。
【００６１】
本願実施例において、信号を受信するために使用されるビームは、信号を受信するために使用される空間ドメイン受信フィルタ（Ｓｐａｔｉａｌ  ｄｏｍａｉｎ  ｒｅｃｅｐｔｉｏｎ  ｆｉｌｔｅｒ）として理解でき、信号を送信するために使用されるビームは、信号を送信するために使用される空間ドメイン伝送フィルタ（Ｓｐａｔｉａｌ  ｄｏｍａｉｎ  ｔｒａｎｓｍｉｓｓｉｏｎ  ｆｉｌｔｅｒ）として理解できることを理解されたい。同じ空間ドメイン送信フィルタを使用して送信された２つの信号の場合、これらの２つの信号は、空間受信パラメータに関してクアジコロケイティッド（ＱＣＬ：Ｑｕａｓｉ−Ｃｏ−Ｌｏｃａｔｅｄ）であると言える。
【００６２】
代替的に、ステップ２２０の前に、当該送信ノードが、当該受信ノードによって送信された構成情報を受信し、当該構成は、キャリアセンスの実行に使用されるセンシング情報を指示し、または、当該送信ノードが、当該送信ノードに事前に記憶されたセンシング情報を取得する。
【００６３】
ここで、当該センシング情報は、当該少なくとも１つのセンシング方向、異なるセンシング方向のセンシング順番、および異なるセンシング方向に対応するセンシングウィンドウの情報のうちの少なくとも１つの情報を含む。
【００６４】
当該センシングウィンドウの情報は、例えば、当該センシングウィンドウの時間領域の長さおよび／または時間起点位置を含む。
【００６５】
つまり、当該送信ノードのセンシングに係るセンシング方向、および各センシング方向のセンシング順番、または異なるセンシング方向でのセンシングに使用されるセンシングウィンドウの情報は、ネットワーク機器によって配置されることができ、または、プロトコルの規定などの事前に合意して送信ノードに予め記憶された規定であることができる。
【００６６】
さらに、代替的に、当該送信ノードが、当該受信ノードによって送信された構成情報を受信する前に、当該センシング方法は、当該送信ノードが、当該送信ノードのセンシング能力情報を当該受信ノードに送信し、当該センシング能力は、当該送信ノードがサポートできるセンシング方向および／またはセンシング順番の能力を示す。
【００６７】
送信ノードは、サポート可能な送信ビーム、サポートするセンシング方向およびセンシング順番などの情報を受信ノードに報告し、受信ノードは、最終的に、センシングするセンシング方向およびセンシング順番を選択し、送信ノードを構成する。
【００６８】
代替的に、当該送信ノードが、当該少なくとも１つのセンシング方向でキャリアセンスを実行することは、当該送信ノードが、当該少なくとも１つのセンシング方向を含む複数のセンシング方向で同時にキャリアセンスを実行することを含む。
【００６９】
代替的に、当該送信ノードが、当該少なくとも１つのセンシング方向でキャリアセンスを実行することは、当該送信ノードが、当該少なくとも１つのセンシング方向を含む複数のセンシング方向で同時にキャリアセンスを実行することを含む。
【００７０】
つまり、送信ノードは、無指向性センシングまたは準無指向性センシングをサポートできる。例えば、当該送信ノードが同時に複数のパネル（ｐａｎｎｅｌ）開いて当該送信ノードがサポートするすべての方向でセンシングしてもよく、当該送信ノードがパネルの一部を開いていくつかの方向でセンシングしてもよい。
【００７１】
図４は、本願実施例に係るセンシング方法の例示的なフローチャートである。図４に示す送信ノードは、例えば、図１に示すネットワーク機器１１０、端末機器１２１または端末機器１２２であってもよい。図４に示す方法は、無認可周波数帯域に適用されることができ、図４に示されるように、当該センシング方法は、以下の内容の一部またはすべてを含み得る。
【００７２】
ステップ４１０において、受信ノードが、構成情報を送信ノードに送信し、当該構成情報は、当該送信ノードによるキャリアセンスの実行に使用されるセンシング情報を指示する。
【００７３】
ここで、当該センシング情報は、少なくとも１つのセンシング方向、当該少なくとも１つのセンシング方向のセンシング順番、当該少なくとも１つのセンシング方向でのキャリアセンスに使用されるセンシングウィンドウの情報のうちの少なくとも１つの情報を含む。
【００７４】
ここで、当該少なくとも１つのセンシング方向は、当該送信ノードによる受信ノードへのデータ送信に使用される第１センシング方向に従って、当該送信ノード機器によって決定される。
【００７５】
したがって、受信ノードは、送信ノードが少なくとも１つのセンシング方向でビームに対して指向性センシングを実行できるように、送信ノードに異なるセンシング方向を配置し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００７６】
代替的に、当該少なくとも１つのセンシング方向は、第１センシング方向および／または第２センシング方向を含む。
【００７７】
代替的に、当該第１センシング方向は、当該送信ノードが当該受信ノードにデータを送信する方向であり、例えば、当該第１センシング方向は、送信ノードによる当該受信ノードへのデータに使用されるビーム方向と一致する。
【００７８】
代替的に、当該第２センシング方向は、当該第１センシング方向の逆方向である、
代替的に、当該受信ノードが、構成情報を送信ノードに送信する前に、当該方法は、当該受信ノードが、当該送信ノードによって送信された当該送信ノードのセンシング能力情報を受信することをさらに含む。ここで、当該センシング能力は、当該送信ノードがサポートできるセンシング方向および／またはセンシング順番の能力を示す。
【００７９】
送信ノードによるキャリアセンスのプロセスで、受信ノードによって実行されるプロセスの詳細な説明については、上記の図２および図３における送信ノードに係る説明を参照することができることを理解されたい。
【００８０】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことも理解されたい。
【００８１】
以上、本願実施例に係るセンシング方法について詳細に説明したが、以下、本願実施例に係る装置について、図５ないし図８を参照して説明する。方法の実施例に記載の技術的特徴は、以下の装置の実施例に適用可能である。
【００８２】
図５は、本願実施例に係る送信ノード機器５００の例示的なブロック図である。図５に示されるように、当該送信ノード機器５００は、決定ユニット５１０と、センシングユニット５２０と、トランシーバユニット５３０とを備える。ここで、
前記決定ユニット５１０は、前記送信ノード機器による受信ノード機器へのデータ送信に使用されるビーム方向に従って、センシングされる少なくとも１つのセンシング方向を決定するように構成される。
【００８３】
前記センシングユニット５２０は、前記少なくとも１つのセンシング方向でキャリアセンスを実行するように構成される。
【００８４】
前記トランシーバユニット５１０は、さらに、前記少なくとも１つのセンシング方向でのセンシング結果に基づいて、前記ビーム方向を使用して、データを前記受信ノード機器に送信するように構成される。
【００８５】
したがって、送信ノードは、受信ノードにデータを送信する送信ビームの方向に基づいて、センシングされる少なくとも１つのセンシング方向を決定し、少なくとも１つのセンシング方向で指向性センシングを実行し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００８６】
代替的に、前記少なくとも１つのセンシング方向は、第１センシング方向および／または第２センシング方向を含み、前記第１センシング方向は、前記送信ノード機器が前記受信ノード機器にデータを送信する方向である。
【００８７】
代替的に、前記第２センシング方向は、前記第１センシング方向の逆方向である。
【００８８】
代替的に、前記センシングユニット５２０は、具体的に、前記少なくとも１つのセンシング方向でのチャネルがアイドルであることをセンシングするまで、前記少なくとも１つのセンシング方向でキャリアセンスを実行するように構成される。
【００８９】
代替的に、前記少なくとも１つのセンシング方向は、前記第１センシング方向および前記第２センシング方向を含み、前記センシングユニット５２０は、具体的に、前記第１センシング方向でキャリアセンスを実行し、前記第１センシング方向でのチャネルがアイドルであることをセンシングした後、前記第２センシング方向でのチャネルがアイドルであることをセンシングするまで、前記第２センシング方向でキャリアセンスを実行するように構成され、または、前記第２センシング方向でキャリアセンスを実行し、前記第２センシング方向でのチャネルがアイドルであることをセンシングした後、前記第１センシング方向でのチャネルがアイドルであることをセンシングするまで、前記第１センシング方向でキャリアセンスを実行するように構成される。
【００９０】
代替的に、前記センシングユニット５２０は、具体的に、少なくとも１つのセンシングウィンドウで、前記少なくとも１つのセンシング方向でそれぞれキャリアセンスを実行するように構成され、ここで、前記送信ノード機器による前記第１センシング方向でのキャリアセンスの実行に使用されるセンシングウィンドウは、第１センシングウィンドウであり、前記送信ノード機器による前記第２センシング方向でのキャリアセンスの実行に使用されるセンシングウィンドウは、第２センシングウィンドウであり、前記第１センシングウィンドウが前記第２センシングウィンドウの前に配置され、まはた前記第１センシングウィンドウが前記第２センシングウィンドウの後に配置され、まはた前記第１センシングウィンドウが前記第２センシングウィンドウと重複する。
【００９１】
代替的に、前記センシングユニット５２０は、具体的に、前記トランシーバユニット５１０を介して、前記受信ノード機器によって送信された構成情報を受信するように構成され、前記構成情報は、キャリアセンスの実行に使用されるセンシング情報を指示し、または、前記送信ノード機器に事前に記憶されたセンシング情報を取得するように構成され、前記センシング情報は、前記少なくとも１つのセンシング方向、異なるセンシング方向のセンシング順番、および異なるセンシング方向に対応するセンシングウィンドウの情報のうちの少なくとも１つの情報を含む。
【００９２】
代替的に、前記センシングウィンドウの情報は、前記センシングウィンドウの時間領域の長さおよび／または時間起点位置を含む。
【００９３】
代替的に、前記トランシーバユニット５１０は、さらに、前記送信ノード機器のセンシング能力情報を前記受信ノード機器に送信するように構成され、前記センシング能力は、前記送信ノード機器がサポートできるセンシング方向および／またはセンシング順番の能力を示す。
【００９４】
代替的に、前記センシングユニット５２０は、具体的に、前記少なくとも１つのセンシング方向を含む複数のセンシング方向で同時にキャリアセンスを実行するように構成される。
【００９５】
当該送信ノード機器５００は、上述した方法２００において送信ノードドによって実行される対応する動作を実行でき、簡潔にするために、ここでは再び説明しないことを理解されたい。
【００９６】
図６は、本願実施例に係る受信ノード機器６００の例示的なブロック図である。図６に示されるように、当該受信ノード機器６００は、構成情報を送信ノード機器に送信するように構成されるトランシーバユニット６１０を備え、前記構成情報は、前記送信ノードによるキャリアセンスの実行に使用されるセンシング情報を指示する。
【００９７】
ここで、前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、前記少なくとも１つのセンシング方向は、前記送信ノード機器による受信ノード機器へのデータ送信に使用されるビーム方向に従って、前記送信ノード機器によって決定される。
【００９８】
したがって、受信ノードは、送信ノードが少なくとも１つのセンシング方向でビームに対して指向性センシングを実行できるように、送信ノードに異なるセンシング方向を配置し、当該少なくとも１つのセンシング方向でのセンシング結果に基づいて、データを送信ノードに送信することにより、送信ノードと他のノード間のデータ伝送の干渉を回避し、無認可周波数帯域での異なるノード間の信号伝送性能を向上させる。
【００９９】
代替的に、前記少なくとも１つのセンシング方向は、第１センシング方向および／または第２センシング方向を含み、前記第１センシング方向は、前記送信ノードが前記受信ノードにデータを送信する方向である。
【０１００】
代替的に、前記第２センシング方向は、前記第１センシング方向の逆方向である。
【０１０１】
代替的に、前記トランシーバユニット６１０は、さらに、前記送信ノード機器によって送信された前記送信ノード機器のセンシング能力情報を受信するように構成され、前記センシング能力は、前記送信ノード機器がサポートできるセンシング方向および／またはセンシング順番の能力を示す。
【０１０２】
当該受信ノード機器６００は、上述した方法４００において受信ノードによって実行される対応する動作を実行でき、簡潔にするために、ここでは再び説明しないことを理解されたい。
【０１０３】
図７は、本願実施例に係る通信機器７００の例示的な構造図である。図７に示されるように、当該通信機器は、プロセッサ７１０と、トランシーバ７２０と、メモリ７３０とを備え、ここで、当該プロセッサ７１０、トランシーバ７２０およびメモリ７３０の間は、内部接続パスを介してお互いに通信する。当該メモリ７３０は、命令を記憶するように構成され、当該プロセッサ７１０は、当該トランシーバ７２０による信号の送受信を制御するために、メモリ７３０に記憶された命令を実行するように構成される。
【０１０４】
代替的に、当該プロセッサ７１０は、メモリ７３０に記憶されたプログラムコードを呼び出して、方法２００において送信ノードによって実行される対応する動作を実行でき、簡潔にするために、ここでは再び説明しないことを理解されたい。
【０１０５】
代替的に、当該プロセッサ７１０は、メモリ７３０に記憶されたプログラムコードを呼び出して、方法４００において受信ノードによって実行される対応する動作を実行でき、簡潔にするために、ここでは再び説明しないことを理解されたい。
【０１０６】
本出願の実施例におけるプロセッサは、信号の処理能力を備えた集積回路チップであり得ることを理解されたい。実現プロセスにおいて、上記の方法実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアコンポーネントなどであってもよい。本願実施例で開示された各方法、ステップおよび論理ブロック図を実現または実行できる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０１０７】
本願実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。前記メモリは、例示的であるが制限的ではない説明を通じて、例えば、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等、多くの形のＲＡＭが利用可能である。本出願で説明されるシステムおよび方法のメモリは、これらおよび任意の他の適切なタイプのメモリを含むが、これに限定されないことを意図することに留意されたい。
【０１０８】
図８は、本願実施例に係るシステムチップ８００の一例示的な構造図である。図８のシステムチップ８００は、入力インタフェース８０１と、出力インタフェース８０２と、少なくとも１つのプロセッサ８０３と、メモリ８０４とを備え、前記入力インタフェース８０１、出力インタフェース８０２、前記プロセッサ８０３およびメモリ８０４の間は、内部接続パスを介してお互いに通信する。前記プロセッサ８０３は、前記メモリ８０４内のコードを実行するように構成される。
【０１０９】
代替的に、前記コード実行されるとき、前記プロセッサ８０３は、方法２００において送信ノードによって実行される対応する動作を実現でき、簡潔にするために、ここでは再び説明しない。
【０１１０】
代替的に、前記コード実行されるとき、前記プロセッサ８０３は、方法４００において受信ノードによって実行される対応する動作を実現でき、簡潔にするために、ここでは再び説明しない。
【０１１１】
本願実施例において、「Ａに相応（対応）するＢ」とは、ＢがＡに関連付けられており、Ａに従ってＢを決定できることを示すことを理解されたい。しかしながら、Ａに従ってＢを決定することは、Ａのみに従ってＢを決定することを意味せず、Ａおよび／または他の情報に従ってＢを決定することもできることを理解されたい。
【０１１２】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることが理解できるだろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１１３】
説明の便宜および簡潔のために、上記に説明されたシステム、装置およびユニットの具体的な作業プロセスは、前述の方法実施例中の対応するプロセスを参照することができ、ここでは繰り返さないことを当業者は明確に理解することができる。
【０１１４】
本出願で提供されるいくつかの実施例では、開示されたシステム、装置および方法は、他の方法で実現されることができることを理解されたい。例えば、上記で説明された装置実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインタフェース、装置またはユニットを介した間接結合または通信接続であり得、電気的、機械的または他の形態であり得る。
【０１１５】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本実施例の技術案の目的を実現することができる。
【０１１６】
なお、本出願の各実施例における各機能ユニットは１つの処理ユニットに統合されてもよく、または各ユニットが物理的に別々に存在してもよく、２つまたは２つ以上のユニットを１つのユニットに統合してもよい。
【０１１７】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載のセンシング方法。の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１１８】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021517386.tif 000003
【図２】
2021517386.tif 000004
【図３】
2021517386.tif 000005
【図４】
2021517386.tif 000006
【図５】
2021517386.tif 000007
【図６】
2021517386.tif 000008
【図７】
2021517386.tif 000009
【図８】
2021517386.tif 000010
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
センシング方法であって、
受信ノードが、構成情報を送信ノードに送信することを含み、前記構成情報は、前記送信ノードによるキャリアセンスの実行に使用されるセンシング情報を指示し、
前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、
前記少なくとも１つのセンシング方向は、前記送信ノードによる受信ノードへのデータ送信に使用されるビームに従って、前記送信ノードによって決定される、前記センシング方法。
【請求項２】
前記少なくとも１つのセンシング方向は、第１センシング方向および／または第２センシング方向を含み、前記第１センシング方向は、前記送信ノードが前記受信ノードにデータを送信する方向である、
請求項１に記載のセンシング方法。
【請求項３】
前記第２センシング方向は、前記第１センシング方向の逆方向である、
請求項２に記載のセンシング方法。
【請求項４】
前記受信ノードが、構成情報を送信ノードに送信する前に、前記方法は、
前記受信ノードが、前記送信ノードによって送信された前記送信ノードのセンシング能力情報を受信することをさらに含み、前記センシング能力は、前記送信ノードがサポートできるセンシング方向および／またはセンシング順番の能力を示す、
請求項１ないし３のいずれか一項に記載のセンシング方法。
【請求項５】
送信ノード機器であって、
前記送信ノード機器による受信ノード機器へのデータ送信に使用されるビーム方向に従って、センシングされる少なくとも１つのセンシング方向を決定するように構成される決定ユニットと、
前記決定ユニットによって決定された前記少なくとも１つのセンシング方向で、キャリアセンスを実行するように構成されるセンシングユニットと、
前記少なくとも１つのセンシング方向でのセンシング結果に基づいて、前記ビーム方向を使用して、データを前記受信ノード機器に送信するように構成されるトランシーバユニットとを備える、前記送信ノード機器。
【請求項６】
前記少なくとも１つのセンシング方向は、第１センシング方向および／または第２センシング方向を含み、前記第１センシング方向は、前記送信ノード機器が前記受信ノード機器にデータを送信する方向である、
請求項５に記載の送信ノード機器。
【請求項７】
前記センシングユニットは、具体的に、
前記少なくとも１つのセンシング方向でのチャネルがアイドルであることをセンシングするまで、前記少なくとも１つのセンシング方向でキャリアセンスを実行するように構成される、
請求項６に記載の送信ノード機器。
【請求項８】
前記少なくとも１つのセンシング方向は、前記第１センシング方向および前記第２センシング方向を含み、
前記センシングユニットは、具体的に、
前記第１センシング方向でキャリアセンスを実行し、前記第１センシング方向でのチャネルがアイドルであることをセンシングした後、前記第２センシング方向でのチャネルがアイドルであることをセンシングするまで、前記第２センシング方向でキャリアセンスを実行し、または、
前記第２センシング方向でキャリアセンスを実行し、前記第２センシング方向でのチャネルがアイドルであることをセンシングした後、前記第１センシング方向でのチャネルがアイドルであることをセンシングするまで、前記第１センシング方向でキャリアセンスを実行するように構成される、
請求項７に記載の送信ノード機器。
【請求項９】
前記センシングユニットは、具体的に、
少なくとも１つのセンシングウィンドウで、前記少なくとも１つのセンシング方向でそれぞれキャリアセンスを実行するように構成され、
前記送信ノード機器による前記第１センシング方向でのキャリアセンスの実行に使用されるセンシングウィンドウは、第１センシングウィンドウであり、前記送信ノード機器による前記第２センシング方向でのキャリアセンスの実行に使用されるセンシングウィンドウは、第２センシングウィンドウであり、
前記第１センシングウィンドウが前記第２センシングウィンドウの前に配置され、まはた前記第１センシングウィンドウが前記第２センシングウィンドウの後に配置され、まはた前記第１センシングウィンドウが前記第２センシングウィンドウと重複する、
請求項７または８に記載の送信ノード機器。
【請求項１０】
前記センシングユニットは、具体的に、
前記トランシーバユニットを介して、前記受信ノード機器によって送信された構成情報を受信し、前記構成情報は、キャリアセンスの実行に使用されるセンシング情報を指示し、または、
前記送信ノード機器に事前に記憶された前記センシング情報を取得するように構成され、
前記センシング情報は、前記少なくとも１つのセンシング方向、異なるセンシング方向のセンシング順番、および異なるセンシング方向に対応するセンシングウィンドウの情報のうちの少なくとも１つを含む、
請求項５ないし９のいずれか一項に記載の送信ノード機器。
【請求項１１】
前記センシングウィンドウの情報は、前記センシングウィンドウの時間領域の長さおよび／または時間起点位置を含む、
請求項１０に記載の送信ノード機器。
【請求項１２】
前記トランシーバユニットは、さらに、
前記送信ノード機器のセンシング能力情報を前記受信ノード機器に送信するように構成され、前記センシング能力は、前記送信ノードがサポートできるセンシング方向および／またはセンシング順番の能力を示す、
請求項１０または１１に記載の送信ノード機器。
【請求項１３】
前記センシングユニットは、具体的に、
前記少なくとも１つのセンシング方向を含む複数のセンシング方向で同時にキャリアセンスを実行するように構成される、
請求項５ないし１２のいずれか一項に記載の送信ノード機器。
【請求項１４】
受信ノード機器であって、
構成情報を送信ノード機器に送信するように構成されるトランシーバユニットを備え、前記構成情報は、前記送信ノードによるキャリアセンスの実行に使用されるセンシング情報を指示し、
前記センシング情報は、センシングされる少なくとも１つのセンシング方向、前記少なくとも１つのセンシング方向のセンシング順番、および前記少なくとも１つのセンシング方向でのキャリアセンスに使用されるセンシングウィンドウの情報のうちの少なくとも１つの情報を含み、
前記少なくとも１つのセンシング方向は、前記送信ノード機器による受信ノード機器へのデータ送信に使用されるビーム方向に従って、前記送信ノード機器によって決定される、前記受信ノード機器。
【請求項１５】
前記トランシーバユニットは、さらに、
前記送信ノード機器によって送信された前記送信ノード機器のセンシング能力情報を受信するように構成され、前記センシング能力は、前記送信ノード機器がサポートできるセンシング方向および／またはセンシング順番の能力を示す、
請求項１４に記載の受信ノード機器。
【国際調査報告】
2021517386.tif 000011
2021517386.tif 000012
2021517386.tif 000013
2021517386.tif 000014